(57)【要約】  本発明にエンドポイント情報インタラクト処理方法、装置及びテレプレゼンスエンドポイントが提供され、該方法は、テレプレゼンスエンドポイントが多重化情報をインタラクトするステップを含み、本発明により、関連技術において、従来のプロトコル構造に基づいて、従来の会議システムによる多重伝送方式をそのまま取るテレプレゼンスシステムでは、ポートが多すぎて、スムーズに多重伝送できないとの課題を解決し、さらに、テレプレゼンスエンドポイント間において多重化情報をインタラクトし、テレプレゼンスシステムにおける多重化をスムーズにさせる効果を達成している。
2016540454.tif 000002
【特許請求の範囲】
【請求項１】
テレプレゼンスエンドポイントが多重化情報をインタラクトするステップ、
を含むエンドポイント情報インタラクト処理方法。
【請求項２】
前記多重化情報が、
前記テレプレゼンスエンドポイントが多重化を行うか否かを指示するための多重化指示情報と、多重化マッピング情報のインタラクト方式を指示するための多重化方式情報と、メディア捕捉コードストリームと伝送コードストリームとの間のマッピング関係を記述するための多重化マッピング情報と、を少なくとも一つ含む請求項１に記載の方法。
【請求項３】
前記テレプレゼンスエンドポイントが、
端末能力セットをインタラクトする時に前記多重化指示情報をインタラクトするか、又は、
呼び出しの確立時に前記多重化指示情報をインタラクトするか、少なくとも一つの方式によって前記多重化指示情報をインタラクトする請求項２に記載の方法。
【請求項４】
前記テレプレゼンスエンドポイントが、
端末能力セットをインタラクトする時に前記多重化方式情報をインタラクトするか、又は、
呼び出しの確立時に前記多重化方式情報をインタラクトするか、少なくとも一つの方式によって前記多重化方式情報をインタラクトする請求項２に記載の方法。
【請求項５】
前記テレプレゼンスエンドポイントが、
シグナリングのインタラクション中に前記多重化マッピング情報をシグナリング情報に携帯させることでインタラクトするか、又は、
メディアストリームの伝送時に前記多重化マッピング情報を、拡張されたメディア伝送ストリームのヘッダーに携帯させることでインタラクトするか、少なくとも一つの方式によって前記多重化マッピング情報をインタラクトする請求項２に記載の方法。
【請求項６】
前記テレプレゼンスエンドポイントが前記多重化情報をインタラクトした後、
前記多重化情報のインタラクト結果に応じてメディアストリームを多重伝送するステップ、をさらに含む請求項１乃至５のうち何れか一項に記載の方法。
【請求項７】
テレプレゼンスエンドポイントに適用されるエンドポイント情報インタラクト処理装置であって、
多重化情報をインタラクトするように構成されるインタラクトモジュール、
を備えるエンドポイント情報インタラクト処理装置。
【請求項８】
前記インタラクトモジュールが、
端末能力セットをインタラクトする時に前記多重化情報に含まれる多重化指示情報をインタラクトするように構成される第１のインタラクト手段と、
呼び出しの確立時に前記多重化情報に含まれる多重化指示情報をインタラクトするように構成される第２のインタラクト手段と、を少なくとも一つ含む請求項７に記載の装置。
【請求項９】
前記インタラクトモジュールが、
端末能力セットをインタラクトする時に前記多重化情報に含まれる多重化方式情報をインタラクトするように構成される第３のインタラクト手段と、
呼び出しの確立時に前記多重化情報に含まれる多重化方式情報をインタラクトするように構成される第４のインタラクト手段と、を少なくとも一つ含む請求項７に記載の装置。
【請求項１０】
前記インタラクトモジュールが、
シグナリングのインタラクション中に前記多重化マッピング情報をシグナリング情報に携帯させることでインタラクトするように構成される第５のインタラクト手段と、
メディアストリームの伝送時に前記多重化マッピング情報を、拡張されたメディアストリームのヘッダーに携帯させることでインタラクトするように構成される第６のインタラクト手段と、を少なくとも一つ含む請求項７に記載の装置。
【請求項１１】
前記多重化情報のインタラクト結果に応じてメディアストリームを多重伝送するように構成される伝送モジュール、
をさらに備える請求項７乃至１０のうち何れか一項に記載の装置。
【請求項１２】
請求項７乃至１０のうち何れか一項に記載の装置を備えるテレプレゼンスエンドポイント。
【発明の詳細な説明】
【技術分野】
【０００１】
本発明は通信分野に関し、具体的に、エンドポイント情報インタラクト処理方法、装置及びテレプレゼンスエンドポイントに関するものである。
【背景技術】
【０００２】
従来のプロトコルスタックを採用するビデオ会議システムの場合、端末間における１チャネル分のメインビデオストリームの伝送をサポートするが、複数チャネルのメインビデオストリームの伝送ニーズに応えないとともに、ストリームごとの捕捉特徴、例えば、カメラに捕捉されたビデオストリームの空間領域をも記述していない。テレプレゼンスシステムは、ビデオ会議システムを改良して設計されたものであり、複数チャネルのメディアストリームの伝送をサポートするとともに、ストリームごとの捕捉特徴を記述している。テレプレゼンス会議システムが如何にして複数チャネルのメディアストリームを伝送するか、現在、課題となっており、従来どおり一つのポートで１チャネル分のメディアストリームを伝送する方式を取れば、多すぎるポートを使用し、ＮＴＡ／ファイアウォールの横断時の障害を招くに決まっており、最適な方式としては、同一の伝送アドレスで複数チャネルのメディアストリームを多重伝送し、多重伝送に加え、新旧装置のコンパチをサポートすることである。しかしながら、テレプレゼンスシステムが如何にして複数チャネルのメディアストリームを伝送するかについては、関連技術に対応する解決案が未だに提示されていない。
【発明の概要】
【発明が解決しようとする課題】
【０００３】
このため、関連技術において、従来のプロトコル構造に基づいて、従来の会議システムによる多重伝送方式を取るテレプレゼンスシステムでは、ポートが多すぎて、スムーズに多重伝送できないとの課題がある。
【課題を解決するための手段】
【０００４】
本発明によれば、関連技術において、従来のプロトコル構造に基づいて、従来の会議システムによる多重伝送方式を取るテレプレゼンスシステムでは、ポートが多すぎて、スムーズに多重伝送できないとの課題を少なくとも解決できるエンドポイント情報インタラクト処理方法及び装置が提供される。
【０００５】
本発明の一形態によれば、テレプレゼンスエンドポイントが多重化情報をインタラクトするステップ、を含むエンドポイント情報インタラクト処理方法が提供される。
【０００６】
前記多重化情報が、前記テレプレゼンスエンドポイントが多重化を行うか否かを指示するための多重化指示情報と、多重化マッピング情報のインタラクト方式を指示するための多重化方式情報と、メディア捕捉コードストリームと伝送コードストリームとの間のマッピング関係を記述するための多重化マッピング情報と、を少なくとも一つ含むことが好ましい。
【０００７】
前記テレプレゼンスエンドポイントが、端末能力セットをインタラクトする時に前記多重化指示情報をインタラクトするか、また、呼び出しの確立時に前記多重化指示情報をインタラクトするか、少なくとも一つの方式によって前記多重化指示情報をインタラクトすることが好ましい。
【０００８】
前記テレプレゼンスエンドポイントが、端末能力セットをインタラクトする時に前記多重化方式情報をインタラクトするか、また、呼び出しの確立時に前記多重化方式情報をインタラクトするか、少なくとも一つの方式によって前記多重化方式情報をインタラクトすることが好ましい。
【０００９】
前記テレプレゼンスエンドポイントが、シグナリングのインタラクション中に前記多重化マッピング情報をシグナリング情報に携帯させることでインタラクトするか、また、メディアストリームの伝送時に前記多重化マッピング情報を、拡張されたメディア伝送ストリームのヘッダーに携帯させることでインタラクトするか、少なくとも一つの方式によって前記多重化マッピング情報をインタラクトすることが好ましい。
【００１０】
前記テレプレゼンスエンドポイントが前記多重化情報をインタラクトした後、前記多重化情報のインタラクト結果に応じてメディアストリームを多重伝送するステップをさらに含むことが好ましい。
【００１１】
本発明の他の一形態によれば、テレプレゼンスエンドポイントに適用されるエンドポイント情報インタラクト処理装置であって、多重化情報をインタラクトするように構成されるインタラクトモジュール、を備えるエンドポイント情報インタラクト処理装置が提供される。
【００１２】
前記インタラクトモジュールが、端末能力セットをインタラクトする時に前記多重化情報に含まれる多重化指示情報をインタラクトするように構成される第１のインタラクト手段と、呼び出しの確立時に前記多重化情報に含まれる多重化指示情報をインタラクトするように構成される第２のインタラクト手段と、を少なくとも一つ含むことが好ましい。
【００１３】
前記インタラクトモジュールが、端末能力セットをインタラクトする時に前記多重化情報に含まれる多重化方式情報をインタラクトするように構成される第３のインタラクト手段と、呼び出しの確立時に前記多重化情報に含まれる多重化方式情報をインタラクトするように構成される第４のインタラクト手段と、を少なくとも一つ含むことが好ましい。
【００１４】
前記インタラクトモジュールが、シグナリングのインタラクション中に前記多重化マッピング情報をシグナリング情報に携帯させることでインタラクトするように構成される第５のインタラクト手段と、メディアストリームの伝送時に前記多重化マッピング情報を、拡張されたメディアストリームのヘッダーに携帯させることでインタラクトするように構成される第６のインタラクト手段と、を少なくとも一つ含むことが好ましい。
【００１５】
該装置が、前記多重化情報のインタラクト結果に応じてメディアストリームを多重伝送するように構成される伝送モジュール、をさらに備えることが好ましい。
【００１６】
本発明の更なる一形態によれば、上述した何れか一項に記載の装置を備えるテレプレゼンスエンドポイントが提供される。
【発明の効果】
【００１７】
本発明によると、テレプレゼンスエンドポイントが多重化情報をインタラクトすることにより、関連技術において、従来のプロトコル構造に基づいて、従来の会議システムによる多重伝送方式をそのまま取るテレプレゼンスシステムでは、ポートが多すぎて、スムーズに多重伝送できないとの課題を解決し、さらに、テレプレゼンスエンドポイントの間に多重化情報をインタラクトし、テレプレゼンスシステムにおける多重化をスムーズにさせる効果を達成している。
【図面の簡単な説明】
【００１８】
ここで説明する図面は本発明をさらに理解させるためのもので、本発明の一部を構成し、本発明における模式的実施例及びその説明と共に本発明を解釈するためのものであり、本発明を不当に限定するものではない。図面において、
【図１】本発明の実施例によるエンドポイント情報インタラクト処理方法のフローチャートである。
【図２】本発明の実施例によるエンドポイント情報インタラクト処理装置の構造ブロック図である。
【図３】本発明の実施例によるエンドポイント情報インタラクト処理装置におけるインタラクトモジュール２２の第１の好適な構造ブロック図である。
【図４】本発明の実施例によるエンドポイント情報インタラクト処理装置におけるインタラクトモジュール２２の第２の好適な構造ブロック図である。
【図５】本発明の実施例によるエンドポイント情報インタラクト処理装置におけるインタラクトモジュール２２の第３の好適な構造ブロック図である。
【図６】本発明の実施例によるエンドポイント情報インタラクト処理装置の好適な構造ブロック図である。
【図７】本発明の実施例によるテレプレゼンスエンドポイントの構造ブロック図である。
【図８】本発明の好適な実施形態によるテレプレゼンスエンドポイントにおけるメッセージのインタラクション時の多重伝送指示のフローチャートである。
【図９】本発明の好適な実施形態によるテレプレゼンスエンドポイントにおける呼び出しメッセージの送信時の多重伝送指示のフローチャートである。
【図１０】本発明の好適な実施形態によるテレプレゼンスエンドポイントにおける能力セットメッセージの送信時の多重伝送指示のフローチャートである。
【図１１】本発明の好適な実施形態によるテレプレゼンスエンドポイントにおける能力セットメッセージの送信時のマッピングのフローチャートである。
【図１２】本発明の好適な実施形態によるテレプレゼンスエンドポイントにおける論理チャネル開設メッセージの送信時のマッピングのフローチャートである。
【図１３】本発明の好適な実施形態によるＨ．３２３に基づくテレプレゼンスエンドポイントにおける呼び出しメッセージの送信時の第１の指示のフローチャートである。
【図１４】本発明の好適な実施形態によるＨ．３２３に基づくテレプレゼンスエンドポイントにおける呼び出しメッセージの送信時の第２の指示のフローチャートである。
【図１５】本発明の好適な実施形態によるＨ．３２３に基づくテレプレゼンスエンドポイントのＧＥＦフレームワークを用いた第１の指示のフローチャートである。
【図１６】本発明の好適な実施形態によるＨ．３２３に基づくテレプレゼンスエンドポイントのＧＥＦフレームワークを用いた第２の指示のフローチャートである。
【図１７】本発明の好適な実施形態によるＨ．３２３に基づくテレプレゼンスエンドポイントにおける端末能力セットメッセージの送信時の指示のフローチャートである。
【図１８】本発明の好適な実施形態によるＨ．３２３に基づくテレプレゼンスエンドポイントの汎用パラメータを用いた指示のフローチャートである。
【図１９】本発明の好適な実施形態によるＳＩＰに基づくテレプレゼンスエンドポイントのoffer/answerモデルを用いた第１の指示のフローチャートである。
【図２０】本発明の好適な実施形態によるＳＩＰに基づくテレプレゼンスエンドポイントのoffer/answerモデルを用いた第２の指示のフローチャートである。
【図２１】本発明の好適な実施形態によるテレプレゼンスエンドポイントにおける端末能力セットメッセージでのマッピングのフローチャートである。
【図２２】本発明の好適な実施形態によるテレプレゼンスエンドポイントにおけるＣＬＵＥメッセージでのマッピングのフローチャートである。
【図２３】本発明の好適な実施形態によるテレプレゼンスエンドポイントにおけるoffer/answerモデルメッセージでのマッピングのフローチャートである。
【図２４】本発明の好適な実施形態によるテレプレゼンスエンドポイントにおける論理チャネルの開設時のマッピングのフローチャートである。
【図２５】本発明の好適な実施形態によるテレプレゼンスエンドポイントにおける論理チャネルの再開時のマッピングのフローチャートである。
【発明を実施するための形態】
【００１９】
以下、図面を参照しつつ実施例を結合して本発明を詳しく説明する。なお、衝突しない限り、本願の実施例及び実施例中の特徴を組み合わせることができる。
【００２０】
本実施例においてエンドポイント情報インタラクト処理方法が提供され、図１は、本発明の実施例によるエンドポイント情報インタラクト処理方法のフローチャートであり、図１に示すように、そのフローは以下のステップを含む：
テレプレゼンスエンドポイントが多重化情報をインタラクトする（ステップＳ１０２）。
【００２１】
上記ステップにより、テレプレゼンスエンドポイントが多重化情報をインタラクトして、多重化情報をインタラクトせずに従来通りのメディアストリーム伝送方式を用いる関連技術に比べ、多重伝送方式を必要とするテレプレゼンスシステムに応えるだけでなく、テレプレゼンスエンドポイント間に相手側の多重化情報をタイムリーに把握させ、インタラクトされた多重化情報に基づいてメディアストリームを多重伝送し、多重化のスムーズさを高める。
【００２２】
なお、上記多重化情報は、テレプレゼンスエンドポイントが多重化を行うか否かを指示するための多重化指示情報と、多重化マッピング情報のインタラクト方式を指示するための多重化方式情報と、メディア捕捉コードストリームと伝送コードストリームとの間のマッピング関係を記述するための多重化マッピング情報と、を少なくとも一つ含んでもよい。
【００２３】
テレプレゼンスエンドポイントが、多重化情報における多重化指示情報をインタラクトする場合に、様々な処理方式によって行うことができ、例えば、テレプレゼンスエンドポイントが、例えば、端末能力セットをインタラクトする時に多重化指示情報をインタラクトするか、また、例えば、呼び出しの確立時に多重化指示情報をインタラクトするか、少なくとも一つの方式によって多重化指示情報をインタラクトする。
【００２４】
テレプレゼンスエンドポイントが、多重化情報における多重化方式情報をインタラクトする場合にも、様々な処理方式によって行うことができ、例えば、テレプレゼンスエンドポイントが、例えば、端末能力セットをインタラクトする時に多重化方式情報をインタラクトするか、また、例えば、呼び出しの確立時に多重化方式情報をインタラクトするか、少なくとも一つの方式によって多重化方式情報をインタラクトする。
【００２５】
テレプレゼンスエンドポイントが、多重化情報における多重化マッピング情報をインタラクトする場合にも、様々な処理方式によって行うことができ、例えば、テレプレゼンスエンドポイントが、シグナリングのインタラクション中に多重化マッピング情報をシグナリング情報に携帯させることでインタラクトするか、また、メディアストリームの伝送時に多重化マッピング情報を、拡張されたメディア伝送ストリームのヘッダーに携帯させることでインタラクトするか、少なくとも一つの方式によって多重化マッピング情報をインタラクトする。
【００２６】
好ましくは、テレプレゼンスエンドポイントが多重化情報をインタラクトした後、多重化情報のインタラクト結果に応じてメディアストリームの多重伝送をさらに行ってもよい。
【００２７】
本実施例において、上記実施例や好適な実施形態を実現するためのエンドポイント情報インタラクト処理装置がさらに提供され、すでに説明したものについてはここではその説明を省略する。以下で使用した通り、用語の「モジュール」とは、所定機能を実現できるソフトウェア及び／又はハードウェアの組合せである。以下の実施例で説明する装置は、ソフトウェアによって実現されることが好ましいが、ハードウェア、或いはソフトウェアとハードウェアとの組合せによる実現も可能であり、想定されることである。
【００２８】
図２は、本発明の実施例によるエンドポイント情報インタラクト処理装置の構造ブロック図であり、図２に示すように、このエンドポイント情報インタラクト処理装置２０が、インタラクトモジュール２２を備え、以下、当該インタラクトモジュール２２について説明する。
【００２９】
インタラクトモジュール２２は、多重化情報をインタラクトするように構成される。
【００３０】
図３は、本発明の実施例によるエンドポイント情報インタラクト処理装置におけるインタラクトモジュール２２の第１の好適な構造ブロック図であり、図３に示すように、このインタラクトモジュール２２は、第１のインタラクト手段３２と、第２のインタラクト手段３４とを少なくとも一つ含み、以下、当該インタラクトモジュール２２について説明する。
【００３１】
第１のインタラクト手段３２は、端末能力セットをインタラクトする時に多重化情報に含まれる多重化指示情報をインタラクトするように構成され、第２のインタラクト手段３４は、呼び出しの確立時に多重化情報に含まれる多重化指示情報をインタラクトするように構成される。
【００３２】
図４は、本発明の実施例によるエンドポイント情報インタラクト処理装置におけるインタラクトモジュール２２の第２の好適な構造ブロック図であり、図４に示すように、このインタラクトモジュール２２は、第３のインタラクト手段４２と、第４のインタラクト手段４４とを少なくとも一つ含み、以下、当該インタラクトモジュール２２について説明する。
【００３３】
第３のインタラクト手段４２は、端末能力セットをインタラクトする時に多重化情報に含まれる多重化方式情報をインタラクトするように構成され、第４のインタラクト手段４４は、呼び出しの確立時に多重化情報に含まれる多重化方式情報をインタラクトするように構成される。
【００３４】
図５は、本発明の実施例によるエンドポイント情報インタラクト処理装置におけるインタラクトモジュール２２の第３の好適な構造ブロック図であり、図５に示すように、このインタラクトモジュール２２は、第５のインタラクト手段５２と、第６のインタラクト手段５４とを少なくとも一つ含み、以下、当該インタラクトモジュール２２について説明する。
【００３５】
第５のインタラクト手段５２は、シグナリングのインタラクション中に多重化マッピング情報をシグナリング情報に携帯させることでインタラクトするように構成され、第６のインタラクト手段５４は、メディアストリームの伝送時に多重化マッピング情報を、拡張されたメディアストリームのヘッダーに携帯させることでインタラクトするように構成される。
【００３６】
図６は、本発明の実施例によるエンドポイント情報インタラクト処理装置の好適な構造ブロック図であり、該装置は、図６に示すように、図２に示す全てのモジュールに加え、伝送モジュール６２をさらに備え、以下、当該伝送モジュール６２について説明する。
【００３７】
伝送モジュール６２は、上記インタラクトモジュール２２に接続されており、多重化情報のインタラクト結果に応じてメディアストリームの多重伝送を行うように構成される。
【００３８】
図７は、本発明の実施例によるテレプレゼンスエンドポイントの構造ブロック図であり、図７に示すように、このテレプレゼンスエンドポイント７０が、上述の何れか一項のエンドポイント情報インタラクト処理装置２０を備える。
【００３９】
以下、図面を結合して、本発明の好適な実施形態を説明する。
【００４０】
関連技術における上記課題に対し、本実施例においては、従来のプロトコルを踏まえ、テレプレゼンスシステムに多重伝送情報を携帯させる方法が提示されている。該方法には、テレプレゼンスエンドポイントが多重伝送指示を行うことが含まれる。
【００４１】
テレプレゼンスエンドポイントは、メディアストリームを多重化によって伝送することが必要であれば、メッセージをインタラクトする際に、多重伝送指示を行う必要がある。図８は、本発明の好適な実施形態によるテレプレゼンスエンドポイントにおけるメッセージのインタラクトション時の多重伝送指示のフローチャートであり、図８に示すように、端末Ａも端末Ｂもテレプレゼンスエンドポイントであり、テレプレゼンスエンドポイントＡとテレプレゼンスエンドポイントＢがメッセージをインタラクトする際に多重伝送指示を行い、多重伝送指示をインタラクトした後、両者が実際のメディアストリームを伝送する。
【００４２】
図９は、本発明の好適な実施形態によるテレプレゼンスエンドポイントにおける呼び出しメッセージの送信時の多重伝送指示のフローチャートであり、図９に示すように、端末Ａも端末Ｂもテレプレゼンスエンドポイントであり、テレプレゼンスエンドポイントＡとテレプレゼンスエンドポイントＢが、Ｈ．３２３のＧＥＦフレームワーク（Generic extensible framework）を用いて呼び出しメッセージで指示するようにする。送信側がsetupメッセージで指示することができ、受信側がalerting又はconnectメッセージで指示することができる。ＧＥＦフレームワークを用いて指示をサポートすれば、端末がＧＥＦフレームワークをサポートする以外、中間機器、例えば、ＧＫがＧＥＦをサポートする必要もある。
【００４３】
図１０は、本発明の好適な実施形態によるテレプレゼンスエンドポイントにおける能力セットメッセージの送信時の多重伝送指示のフローチャートであり、図１０に示すように、端末Ａも端末Ｂもテレプレゼンスエンドポイントであり、テレプレゼンスエンドポイントＡとテレプレゼンスエンドポイントＢが、端末能力セットメッセージTerminalCapabilitySet又はoffer/answerモデルメッセージで指示することができる。
【００４４】
テレプレゼンスエンドポイントによる多重化指示が、多重化の使用の明確化及び／又は多重化のタイプを含む。
【００４５】
テレプレゼンスエンドポイントによる多重化指示がない場合、多重伝送を行わない。
【００４６】
テレプレゼンスエンドポイントが、多重化されたマッピング（mapping）を記述する必要がある。
【００４７】
テレプレゼンスエンドポイントが、メディア捕捉コードストリームからＲＴＰストリームへのマッピングを記述する必要がある。
【００４８】
図１１は、本発明の好適な実施形態によるテレプレゼンスエンドポイントにおける能力セットメッセージの送信時のマッピングのフローチャートであり、第１のmapping方式は、図１１に示すように、端末Ａも端末Ｂもテレプレゼンスエンドポイントであり、テレプレゼンスエンドポイントＡとテレプレゼンスエンドポイントＢが、端末能力セットメッセージTerminalCapabilitySetでマッピングするか、また、ＣＬＵＥメッセージのoffer/answerモデルメッセージでマッピングするか、少なくとも一つのメッセージでマッピングする。
【００４９】
図１２は、本発明の好適な実施形態によるテレプレゼンスエンドポイントにおける論理チャネル開設メッセージの送信時のマッピングのフローチャートであり、第２のmapping方式は、図１２に示すように、端末Ａも端末Ｂもテレプレゼンスエンドポイントであり、テレプレゼンスエンドポイントＡとテレプレゼンスエンドポイントＢが、論理チャネルを開設又は再開する際にマッピングする。
【００５０】
以下、図面を結合して、本発明の好適な実施形態を説明する。
【００５１】
端末によるメディアの呼び出しのフローは、大体、呼び出しステップと、能力セットのインタラクションと、メディアストリーム伝送路の用意（論理チャネルの開設）と、実際のメディアストリームの伝送とに分けられる。
【００５２】
好適な実施形態１：Ｈ．３２３に基づくテレプレゼンスエンドポイントが、呼び出しメッセージの送信時に指示すること
Ｈ．３２３に基づくテレプレゼンスエンドポイントが、呼び出しメッセージの送信時に、送信側によりSetupメッセージで指示することができ、受信側によりAltering又はConnectメッセージで指示することができる。
【００５３】
このような方法により、端末が呼び出しメッセージでも多重伝送を指示することができ、多重化方式によるメディアストリーム伝送をできるだけ早く相手側へ通知する。該方法の場合、メッセージがＧＫゲートキーパー機器を経ると、指示部分をゲートキーパーにより補正又は削除されるかもしれない。
【００５４】
図１３は、本発明の好適な実施形態によるＨ．３２３に基づくテレプレゼンスエンドポイントにおける呼び出しメッセージの送信時の第１の指示のフローチャートであり、図１３に示すように、端末Ａも端末Ｂもテレプレゼンスエンドポイントであり、Ａが、多重化指示を携帯したSetupメッセージをＢへ送信し、端末Ｂがsetupメッセージを受信すると、端末Ａによる多重化でのメディアストリームの伝送予定を解析する。端末Ｂが、Call proceedingメッセージを端末Ａへ送信した後、多重化指示を携帯したAlteringメッセージを端末Ａへ送信し、端末ＡがAlteringメッセージを受信すると、端末Ｂによる多重化でのメディアストリームの伝送予定を解析する。端末ＢがConnectメッセージを端末Ａに送信する。
【００５５】
図１４は、本発明の好適な実施形態によるＨ．３２３に基づくテレプレゼンスエンドポイントにおける呼び出しメッセージの送信時の第２の指示のフローチャートであり、図１４に示すように、端末Ａも端末Ｂもテレプレゼンスエンドポイントであり、Ａが、多重化指示を携帯したSetupメッセージをＢへ送信し、端末Ｂがsetupメッセージを受信すると、端末Ａによる多重化でのメディアストリームの伝送予定を解析する。端末Ｂが、Call proceeding及びAlteringメッセージを端末Ａへ送信した後、多重化指示を携帯したConnectメッセージを端末Ａへ送信し、端末ＡがConnectメッセージを受信すると、端末Ｂによる多重化でのメディアストリームの伝送予定を解析する。
【００５６】
図１５は、本発明の好適な実施形態によるＨ．３２３に基づくテレプレゼンスエンドポイントのＧＥＦフレームワークを用いた第１の指示のフローチャートであり、図１６は、本発明の好適な実施形態によるＨ．３２３に基づくテレプレゼンスエンドポイントのＧＥＦフレームワークを用いた第２の指示のフローチャートである。図１５と図１６に示すように、端末Ａも端末Ｂもテレプレゼンスエンドポイントであり、テレプレゼンス送信端末（テレプレゼンスエンドポイントＡ及びテレプレゼンスエンドポイントＢ）が、SetupメッセージにおけるneededFeatures又はdesiredFeaturesパラメータで指示することができ、テレプレゼンス受信端末が、Altering又はConnectメッセージにおけるsupportedFeaturesメッセージで指示することができる。
【００５７】
好適な実施形態２：Ｈ．３２３に基づくテレプレゼンスエンドポイントが、端末能力セットメッセージの送信時に指示すること
このような方法の場合、従来のプロトコルスタックをそのまま流用することができ、端末による多重伝送指示に変化がある場合にも、呼び出しステップに係わる必要がない。
【００５８】
図１７は、本発明の好適な実施形態によるＨ．３２３に基づくテレプレゼンスエンドポイントにおける端末能力セットメッセージの送信時の指示のフローチャートであり、図１７に示すように、端末Ａも端末Ｂもテレプレゼンスエンドポイントである。Ａが、テレプレゼンスエンドポイントによる多重化指示を携帯した端末能力セットメッセージ（TerminalCapabilitySet）をＢへ送信する。ＢがＡからのメッセージを受信し、多重化指示有りと解析することで、Ａによる多重化でのメディアストリームの伝送予定及び多重伝送方式の大まかな説明を把握する。Ｂが、端末能力セット応答メッセージ（TerminalCapabilitySetAck）を端末Ａへ送信する。Ｂが、多重化指示を携帯した端末能力セットメッセージ（TerminalCapabilitySet）をＡへ送信する。ＡがＢからのメッセージを受信し、多重化有りと解析することで、Ｂによる多重化での伝送予定及び多重伝送方式の大まかな説明を把握する。Ａが、端末能力セット応答メッセージ（TerminalCapabilitySetAck）を端末Ｂへ送信する。
【００５９】
図１８は、本発明の好適な実施形態によるＨ．３２３に基づくテレプレゼンスエンドポイントの汎用パラメータを用いた指示のフローチャートであり、図１８に示すように、ＡもＢもテレプレゼンスエンドポイントであり、端末間は、端末能力セットメッセージにおいて汎用パラメータ（genericParameter）で多重化指示を行うことができる。この図において、多重化パラメータが、多重化のサポート能否（multiplexTransfer）及び多重化のタイプ（multiplexTransferType）に関わっている。端末による多重化が決められた場合、多重化のサポート能否フィールドを省略して、多重化方式のみで多重化指示を行うことができる。受信側が多重化方式フィールドを解析すれば、送信側が多重化をサポートすることを表す。端末が多重化をしない場合、multiplexTransferの値をfalseに設定したり、多重化指示を携帯せずに行ったりすることができる。
【００６０】
能力セットメッセージに多重化指示がなければ、メディアストリームを多重化せずに伝送することを表し、即ち、伝送アドレスごとに１チャネルのメディアストリームしか伝送しない。
【００６１】
好適な実施形態３：ＳＩＰに基づくプレゼンスエンドポイントが、offer/answerモデルメッセージで指示すること
図１９は、本発明の好適な実施形態によるＳＩＰに基づくテレプレゼンスエンドポイントのoffer/answerモデルを用いた第１の指示のフローチャートであり、図１９に示すように、ＳＩＰに基づくプレゼンスエンドポイントがoffer/answerモデルメッセージにおいて、２ペアのメッセージで多重化指示を行う。端末Ａも端末Ｂもテレプレゼンスエンドポイントである。端末Ａが、多重化指示を携帯したofferメッセージを端末Ｂへ送信し、端末Ｂが当該メッセージを解析して、端末Ａによる多重化方式でのメディアストリームの伝送予定を把握する。端末Ｂがanswerメッセージを端末Ａへ返信する。端末Ｂが、多重化指示を携帯したofferメッセージを端末Ａへ送信し、端末Ａが当該メッセージを解析して、端末Ｂによる同様な多重化方式でのメディアストリームの伝送予定を把握する。端末Ａがanswerメッセージを端末Ｂへ返信する。
【００６２】
図２０は、本発明の好適な実施形態によるＳＩＰに基づくテレプレゼンスエンドポイントのoffer/answerモデルを用いた第２の指示のフローチャートであり、図２０に示すように、ＳＩＰに基づくプレゼンスエンドポイントがoffer/answerモデルメッセージにおいて、１ペアのメッセージで多重化指示を行う。端末Ａも端末Ｂもテレプレゼンスエンドポイントである。端末Ａが、多重化指示を携帯したofferメッセージを端末Ｂへ送信し、端末Ｂが当該メッセージを解析して、端末Ａによる多重化方式でのメディアストリームの伝送予定を把握する。端末Ｂが、多重化指示を携帯したanswerメッセージを端末Ａへ送信し、端末Ａが当該メッセージを解析して、端末Ｂによる同様な多重化方式でのメディアストリームの伝送予定を把握する。
【００６３】
好適な実施形態４：プレゼンスエンドポイントが、端末能力セットメッセージTerminalCapabilitySetでマッピングすること
多重化の使用（多重化指示）及び多重化のタイプが決められると、多重化マッピングのタイプを、大体、静的マッピング、動的マッピング及び統合マッピングに分けることができる。
【００６４】
静的マッピングとは、シグナリングのインタラクション中に、ＲＴＰストリームとメディア捕捉コードストリームとの間のマッピング関係、例えば、ＲＴＰストリームのフラグとメディア捕捉コードストリームのフラグとの間のマッピング関係をメッセージに携帯させることである。ＲＴＰストリームのフラグは、ＳＳＲＣを用いて１チャネル分のＲＴＰストリームを一意にマークすることができる。また、メディア捕捉コードストリームのフラグは、captureID（メディア捕捉ＩＤ）とencodingID（当該チャネルのcaptureIDを符号化するための符号化ＩＤ）を用いて１チャネル分のメディア捕捉コードストリームを一意にマークし、或いは、新しいフィールド、例えば、メディア捕捉コードストリームのマーカー（demultiplexID）を用いて１チャネル分のメディア捕捉コードストリームをマークすることができるが、しかし、実質上、demultiplexIDとcaptureID、encodingIDとの間にも対応関係がある。静的マッピング方式の場合、シグナリングのインタラクション時にしかマッピング関係を通知せず、実際のメディアストリームにおけるＲＴＰヘッダーフィールドを拡張してマッピングする必要がなく、端末がＲＴＰメディアストリームを受信するステップに変化が起こらない。
【００６５】
動的マッピングの場合、シグナリングにＲＴＰストリームとメディア捕捉コードストリームとのマッピングを記述することなく、新しいフィールドdemultiplexIDでメディア捕捉コードストリームを記述すれば、シグナリングにおいてdemultiplexIDとcaptureID、encodingIDとのマッピング関係をインタラクトし、また、新しいフィールドではなく、captureID、encodingIDそのものでメディア捕捉コードストリームを記述すれば、シグナリングに何らのマッピングを携帯させる必要もない。なお、動的マッピングの場合、端末がＲＴＰヘッダーを拡張し、メディア捕捉コードストリームのフラグ（demultiplexID或いはcaptureID、encodingID）を充填することが要求され、また、メディア捕捉コードストリームとＲＴＰストリームとの間のマッピング関係を動的に取得するために、端末は、ＲＴＰストリームのヘッダーが拡張された部分を解析する必要がある。
【００６６】
統合マッピングという方式は、実際、静的マッピングと動的マッピングとを結合することを指す。シグナリングのインタラクション中にＲＴＰストリームとメディア捕捉コードストリームとの間のマッピング関係を記述するとともに、ＲＴＰヘッダーも拡張し、拡張されたヘッダーには、メディア捕捉コードストリームのフラグが携帯されている。例えば、受信側が、送信側からcaptureID=1、encodingID=1というメディア捕捉コードストリームを送信してもらおうとし、そして、ＳＳＲＣが１のＲＴＰストリームが、captureID=1且つencodingID=1のメディア捕捉コードストリームに対応することとなる静的マッピング関係が知られている。静的マッピング関係のメンテナンスに加え、送信側が、ＳＳＲＣ＝１のＲＴＰストリームのヘッダーにおいてもcaptureID=1、encodingID=1を充填するようにマッピングフィールドを拡張している。端末は一般的に静的マッピング関係に従ってそれぞれのＲＴＰストリームを解析し、受信側が複数チャネルのＲＴＰストリームを受信するとメンテナンスされた静的関係であるＳＳＲＣ＝１のＲＴＰストリームとcaptureID=1、encodingID=1のメディア捕捉コードストリームとの対応に従って、必要とする複数チャネルのストリームを扱うことができる。特殊な場合、例えば、静的マッピングのメンテナンス表がなくなったり、静的マッピングのメンテナンス内容が間違っていたりする場合に、動的マッピング方式に従って受信された複数チャネルのストリームを扱い、各チャネルのストリームのＲＴＰストリームのヘッダーが拡張された部分を解析することができ、これにより、どのチャネルのＲＴＰストリームが、自分の選択したどのチャネルのメディア捕捉コードストリームであるcaptureID、encodingIDに対応するか、各チャネルのストリームに対応するcaptureID、encodingIDを把握することができる。
【００６７】
次に、テレプレゼンスエンドポイントがどのようにして端末能力セットメッセージTerminalCapabilitySetでマッピングするかについて紹介する。図２１は、本発明の好適な実施形態によるテレプレゼンスエンドポイントにおける端末能力セットメッセージでのマッピングのフローチャートであり、図２１に示すように、端末Ａも端末Ｂもテレプレゼンスエンドポイントであり、Ａが、mapping関係を携帯したTerminalCapabilitySetメッセージをＢへ送信し、Ｂが当該mapping関係を受信してメンテナンスする。ＢがＡＣＫをＡへ送信する。Ｂが、mapping関係を携帯したTerminalCapabilitySetメッセージをＡへ送信し、Ａが当該mapping関係を受信してメンテナンスする。ＡがＡＣＫをＢへ送信する。
【００６８】
好適な実施形態５：プレゼンスエンドポイントが、ＣＬＵＥメッセージでマッピングすること
図２２は、本発明の好適な実施形態によるテレプレゼンスエンドポイントにおけるＣＬＵＥメッセージでのマッピングのフローチャートであり、図２２に示すように、端末がＣＬＵＥチャネルに基づくＣＬＵＥメッセージで能力セットをすれば、テレプレゼンスエンドポイントがＣＬＵＥメッセージでマッピングすることができる。端末Ａも端末Ｂもテレプレゼンスエンドポイントである。Ａが、Ａの提供可能なあらゆるメディア捕捉ストリームのメッセージ及び符号化メッセージを含む広告メッセージ（advertisement）をＢへ送信する。Ｂがそこから２チャネル分のストリームを選び、一つのフィールド（demultiplexID）をcaptureID（ＶＣ）、encodingID（ＥＮＣ）に関連付けてから設定メッセージ（configure）でＡへ送信し、Ａが当該設定メッセージを受信した後、demultiplexIDを各チャネルのＲＴＰストリームの拡張ヘッダーとして使用し、ＢがＲＴＰストリームを受信すると、拡張ヘッダーを解析して、必要とするマッピング関係を得ることができる。ＢからＡへの広告メッセージの送信及びＡからＢへの設定メッセージの送信過程は、上述と同様であり、ここではその説明を省略する。
【００６９】
好適な実施形態６：プレゼンスエンドポイントが、offer/answerモデルメッセージでマッピングすること
図２３は、本発明の好適な実施形態によるテレプレゼンスエンドポイントにおけるoffer/answerモデルメッセージでのマッピングのフローチャートであり、図２３に示すように、端末Ａも端末Ｂも、offer/answerモデルメッセージでマッピングを行うテレプレゼンスエンドポイントである。offer/answerモデルのキャリアとして、通常、invite/200 OKメッセージであるが、invite/200 OKメッセージには限定されない。端末Ａが、多重化マッピングを携帯したofferメッセージを端末Ｂへ送信し、端末Ｂが受信すると、マッピング関係をメンテナンスする。端末ＢがＡへanswerメッセージを送信する。ＢからＡへの過程は、上述と同様であり、ここではその説明を省略する。
【００７０】
好適な実施形態７：プレゼンスエンドポイントが、論理チャネルの開設時にマッピングすること
図２４は、本発明の好適な実施形態によるテレプレゼンスエンドポイントにおける論理チャネルの開設時のマッピングのフローチャートであり、図２４に示すように、テレプレゼンスエンドポイントが、論理チャネルの開設時にメディア捕捉コードストリームからＲＴＰストリームへのマッピングをする。端末Ａも端末Ｂもテレプレゼンスエンドポイントであり、Ａが、マッピング関係を携帯した論理チャネル開設メッセージ（OpenLogicalChannel、ＯＬＣと略称）をＢへ送信し、ここで、ＯＬＣにおける汎用メッセージの汎用パラメータフィールドにマッピング関係を載せる構成とする。Ｂが、論理チャネル開設応答メッセージをＡへ返信する。Ｂが、マッピング関係を携帯したＯＬＣメッセージをＡへ送信する。ＡがＢへ応答を返信する。
【００７１】
好適な実施形態８：プレゼンスエンドポイントが、論理チャネルの再開時にマッピングすること
図２５は、本発明の好適な実施形態によるテレプレゼンスエンドポイントにおける論理チャネルの再開時のマッピングのフローチャートであり、図２５に示すように、テレプレゼンスエンドポイントが、論理チャネルの再開時にマッピングし、端末Ａも端末Ｂもテレプレゼンスエンドポイントである。ＡとＢの間は、まず、現在の論理チャネルを閉めてから新しい論理チャネルを開く。Ａが、マッピング関係を携帯した論理チャネル開設メッセージをＢへ送信する。Ｂが、論理チャネル開設応答メッセージをＡへ返信する。Ｂが、マッピング関係を携帯したＯＬＣメッセージをＡへ送信する。ＡがＢへ応答を返信する。
【００７２】
当業者にとって、上述の本発明の各ブロック又は各ステップは汎用の計算装置によって実現することができ、単独の計算装置に集成させることができれば、複数の計算装置から構成されるネットワークに分布させることもでき、さらに計算装置で実行可能なプログラムのコードによって実現することもできるので、それらを記憶装置に格納して計算装置によって実行することができ、そして場合によって、示した又は説明したステップを上述と異なる手順で実行することができ、それぞれ集積回路ブロックに製作したり、これらのうち複数のブロック又はステップを単独の集積回路ブロックに製作したりして実現することができることは、明らかなことである。このように、本発明は、如何なる特定のハードウェアとソフトウェアの結合に限定されない。
【００７３】
以上は、本発明の好適な実施例にすぎず、本発明を限定することは意図していない。当業者であれば、本発明に様々な変更や変形が可能である。本発明の思想や原則内の如何なる修正、均等の置き換え、改良なども、本発明の保護範囲内に含まれるべきである。
【産業上の利用可能性】
【００７４】
上述したように、本発明の実施例に提供されるエンドポイント情報インタラクト処理方法、装置及びテレプレゼンスエンドポイントは、以下の有利な効果を奏する。即ち、関連技術において、従来のプロトコル構造に基づいて、従来の会議システムによる多重伝送方式をそのまま取るテレプレゼンスシステムでは、ポートが多すぎて、スムーズに多重伝送できないとの課題を解決し、さらに、テレプレゼンスエンドポイント間において多重化情報をインタラクトし、テレプレゼンスシステムにおける多重化をスムーズにさせる効果を達成している。
【図１】
2016540454.tif 000003
【図２】
2016540454.tif 000004
【図３】
2016540454.tif 000005
【図４】
2016540454.tif 000006
【図５】
2016540454.tif 000007
【図６】
2016540454.tif 000008
【図７】
2016540454.tif 000009
【図８】
2016540454.tif 000010
【図９】
2016540454.tif 000011
【図１０】
2016540454.tif 000012
【図１１】
2016540454.tif 000013
【図１２】
2016540454.tif 000014
【図１３】
2016540454.tif 000015
【図１４】
2016540454.tif 000016
【図１５】
2016540454.tif 000017
【図１６】
2016540454.tif 000018
【図１７】
2016540454.tif 000019
【図１８】
2016540454.tif 000020
【図１９】
2016540454.tif 000021
【図２０】
2016540454.tif 000022
【図２１】
2016540454.tif 000023
【図２２】
2016540454.tif 000024
【図２３】
2016540454.tif 000025
【図２４】
2016540454.tif 000026
【図２５】
2016540454.tif 000027
【国際調査報告】
2016540454.tif 000028
2016540454.tif 000029
2016540454.tif 000030
2016540454.tif 000031
2016540454.tif 000032